(57)【要約】【課題】安全動作モードへ遷移した時、所有者へ通知する通信装置、その制御方法およびプログラムを提供すること。【解決手段】携行可能な通信装置は、監視エリアの温度が、所定の温度を超えた場合、安全動作モードへ遷移し、バックライトを点滅させて所有者へ通知する。【選択図】図１
2009141503.tif 000002
【特許請求の範囲】
【請求項１】
携行可能な通信装置において、
監視エリアの温度が、所定の温度を超えた場合、安全動作モードへ遷移し、
バックライトを点滅させて所有者へ通知することを特徴とする通信装置。
【請求項２】
前記安全動作モードへ遷移する際、監視エリア回路の動作を停止することを特徴とする請求項１記載の通信装置。
【請求項３】
周囲温度の低下を検出した場合、安全動作モードから通常モードへ遷移し、
安全動作モードへ遷移していた旨の表示を行い所有者へ通知することを特徴とする請求項１または２記載の通信装置。
【請求項４】
前記通常モードへ遷移する際、監視エリア回路の動作を再開することを特徴とする請求項３記載の通信装置。
【請求項５】
前記監視エリア回路の動作を再開する際、通電を停止したＬＳＩ等に対して必要な初期設定を行うことを特徴とする請求項４記載の通信装置。
【請求項６】
前記所有者への通知はポップアップ表示により行うことを特徴とする請求項３から５のいずれか１項に記載の通信装置。
【請求項７】
携行可能な通信装置の制御方法であって、
監視エリアの温度が、所定の温度を超えた場合、安全動作モードへ遷移させるステップと、
バックライトを点滅させて所有者へ通知するステップとを有することを特徴とする通信装置の制御方法。
【請求項８】
前記安全動作モードへ遷移する際、監視エリア回路の動作を停止することを特徴とする請求項７記載の通信装置の制御方法。
【請求項９】
周囲温度の低下を検出した場合、安全動作モードから通常モードへ遷移させるステップと、
安全動作モードへ遷移していた旨の表示を行い所有者へ通知するステップとを有することを特徴とする請求項７または８記載の通信装置の制御方法。
【請求項１０】
前記通常モードへ遷移する際、監視エリア回路の動作を再開することを特徴とする請求項９記載の通信装置の制御方法。
【請求項１１】
前記監視エリア回路の動作を再開する際、通電を停止したＬＳＩ等に対して必要な初期設定を行うことを特徴とする請求項１０記載の通信装置の制御方法。
【請求項１２】
前記所有者への通知はポップアップ表示により行うことを特徴とする請求項９から１１のいずれか１項に記載の通信装置の制御方法。
【請求項１３】
携行可能な通信装置に、
監視エリアの温度が、所定の温度を超えた場合、安全動作モードへ遷移させるステップと、
バックライトを点滅させて所有者へ通知するステップとを実行させることを特徴とするプログラム。
【請求項１４】
周囲温度の低下を検出した場合、安全動作モードから通常モードへ遷移させるステップと、
安全動作モードへ遷移していた旨の表示を行い所有者へ通知するステップとを実行させることを特徴とする請求項１３記載のプログラム。
【発明の詳細な説明】
【技術分野】
【０００１】
本発明は、通信装置の安全動作モード機能を制御する技術に関する。
【背景技術】
【０００２】
従来、安全動作モード機能付き携帯電話機の監視エリアの温度が、所定の温度を超えた場合、監視エリアの回路動作を止める、又は通電を停止するなどの安全設計が行われていた。
【０００３】
ここで、パネルコンピュータが動作中、モニタリングブロックは、例えば、内部温度など、パネルコンピュータの状態を常時監視し、ウォッチドックタイマーは、ＣＰＵの異常動作を常時監視し、異常と判断する範囲は、個々の周囲環境やユーザの要求に応じて決定され、設定部によって、現在の周囲環境に応じた範囲に設定され、異常が発生した場合、ＲＡＳ制御ブロックは、コントロールブロックなどを制御して、ユーザへ異常を報知することで、パネルコンピュータの稼働時間を過度に短縮することなく、致命的なシステムダウンを未然に回避できる技術が提案されている（例えば、特許文献１参照）。
【特許文献１】特開２０００−７５９５２号公報
【発明の開示】
【発明が解決しようとする課題】
【０００４】
しかしながら、上述の関連技術では、所有者には何の通知も無く、何が起こっているのか通知することが出来なかった。又、周囲環境の影響による誤動作に対して、周囲環境の温度が下がっても、その後は正常動作しない場合もあり、故障でなくても故障として販売店へ持ち込まれるケースが考えられた。
【０００５】
本発明は、以上のような課題を解決するためになされたもので、監視エリアの温度が所定の温度を超えた場合、監視エリア回路の動作を停止し、安全動作モードへ遷移した時、所有者へ通知する通信装置、その制御方法およびプログラムを提供することを目的とする。
【課題を解決するための手段】
【０００６】
本発明の通信装置は、携行可能な通信装置において、
監視エリアの温度が、所定の温度を超えた場合、安全動作モードへ遷移し、
バックライトを点滅させて所有者へ通知することを特徴とする。
【０００７】
また、本発明の通信装置の制御方法は、携行可能な通信装置の制御方法であって、
監視エリアの温度が、所定の温度を超えた場合、安全動作モードへ遷移させるステップと、
バックライトを点滅させて所有者へ通知するステップとを有することを特徴とする。
【０００８】
また、本発明のプログラムは、携行可能な通信装置に、
監視エリアの温度が、所定の温度を超えた場合、安全動作モードへ遷移させるステップと、
バックライトを点滅させて所有者へ通知するステップとを実行させることを特徴とする。
【発明の効果】
【０００９】
本発明によれば、監視エリアの温度が所定の温度を超えた場合、監視エリア回路の動作を停止し、安全動作モードへ遷移した時、所有者へ通知する通信装置、その制御方法およびプログラムを提供することができる。
【発明を実施するための最良の形態】
【００１０】
以下、本発明の実施の形態について図面を参照して詳細に説明する。図１を用いて実施の形態を説明する。
【００１１】
例えば、携帯電話機（１００）が、夏の炎天下に駐車された車のダッシュボードへ放置された時、所定エリアの温度を監視する筐体内に組み込まれた温度監視部（１２１）が、所定の温度を超えた事を検出すると、遮断回路（１２０）を制御し、例えば表示部（１１９）、音声処理部（１１４）の通電を停止する。
【００１２】
遮断回路（１２０）は通電を停止した事をＣＰＵ（１１３）へ通知する。ＣＰＵ（１１３）は、安全機能が動作した事を検出すると、安全動作モードへ遷移し、限られた操作や動作等が可能となる。
【００１３】
この時、携帯電話機（１００）は何も表示しない為、電源がＯＦＦしてしまった。又は電源が入らないといった誤解を所有者へ与えてしまうことが無いよう、操作部（１２３）のＬＥＤを点滅させ、安全動作モードへ遷移したことを通知する。
【００１４】
次に、車内に放置された携帯電話機（１００）が、車外へ出された、あるいは夕刻になり、車内の温度が下がった時、温度監視部（１２１）が、所定の温度以下を検出した場合、（ここで所定の温度はヒステリシスを設けてもよい、具体的には回路の動作を止める温度より所定の温度が低い温度となった場合）遮断回路（１２０）へ通電停止を解除する。この時、遮断回路（１２０）はＣＰＵ（１１３）へ通電停止解除を通知する。
【００１５】
ＣＰＵ（１１３）は、安全機能が解除された事を検出すると、通電停止を行った表示部（１１９）、音声処理部（１１４）への初期設定を行い、通常動作モードへ復帰させる。更に、ＣＰＵ（１１３）は、安全動作モードに遷移したことを所有者へ通知する為、表示部（１１９）へ安全動作モードへ遷移した旨のポップアップ表示を行う。
【００１６】
図１を参照すると、本実施の形態における通信装置である携帯電話機（１００）は、電源供給を行うＢＡＴＴ（１２４）と電源制御部（１２５）、無線通信を司るアンテナ（１１０）及び、無線部（１１１）と、音声通話時の音声を入力する送話部（１１６）、相手側の音声を出力する受話部（１１７）、着信メロディ等を鳴動させるスピーカ（１１５）からなる音響処理部（１１４）と、着信時に振動するＶＩＢ（１１８）、携帯電話機（１００）の状態に応じた表示を行う表示部（１１９）、ダイヤル入力や、各種設定等を行う操作部（１２３）、操作部（１２３）においては暗い中でも操作が可能なようにＬＥＤによる照光機能を持っている。
【００１７】
又、これらの制御処理を記憶部（１２２）に格納されているプログラムや情報を基に処理を行うＣＰＵ（１１３）、及び制御部（１１２）、更に本発明の特徴となる温度監視部（１２１）、及び電源の通電を停止する遮断回路（１２０）から構成されている。
【００１８】
ここで、遮断回路を経由して通電される回路ブロックは、例えば故障時に温度上昇が想定されるブロックとする。
【００１９】
図２は、本実施の形態の処理動作の一部を説明する、安全動作モード時のＣＰＵ（１１３）が行う制御フローである。
【００２０】
図３は、携帯電話装置の状態が電源ＯＮ態時と電源ＯＦＦ状態時のぞれぞれの場合に安全動作モードが発動した時のＣＰＵ（１１３）が行う制御フローである。
【００２１】
本実施の形態により、温度を監視して安全制御を行う電子機器において、周囲環境の影響による誤動作に対して、所有者の不安を取り除く事が可能となり、故障でなくても故障として販売店へ持ち込まれるようなケースを防ぐ事が可能となる。
【００２２】
図１、図２を用いて本発明の他の実施の形態について説明する。
例えば、所定エリアの温度を監視する筐体内に組み込まれた温度監視部（１２１）が、所定の温度を超えた事を検出すると、遮断回路（１２０）を制御し、表示部（１１９）、音声処理部（１１４）への通電を停止する。遮断回路（１２０）は通電を停止した事をＣＰＵ（１１３）へ通知する。
【００２３】
ＣＰＵ（１１３）は、安全機能が動作した事を検出（２０１）すると、安全動作モードへ遷移（２０２）させ、操作部（１２３）の入力制限や限られた動作のみ実施する。
【００２４】
又、ＣＰＵ（１１３）は、ＶＩＢ（１１８）を定期的に振動させ、安全動作モードへ遷移したことを所有者へ通知する。
【００２５】
次に、温度監視部（１２１）が、所定の温度以下を検出した場合、遮断回路（１２０）へ通電停止を解除する。この時、遮断回路（１２０）はＣＰＵ（１１３）へ通電停止解除を通知する。
【００２６】
ＣＰＵ（１１３）は、安全機能が解除された事を検出（２０４）すると、通電停止をおこなった表示部（１１９）、音声処理部（１１４）への初期設定（２０５）を行い、通常動作モードへ復帰させる。
【００２７】
更に、ＣＰＵ（１１３）は、安全動作モードに遷移したことを所有者へ通知する為、表示部（１１９）へ安全動作モードへ遷移した旨のポップアップ表示（２０６）を行う。
【００２８】
その後、ＣＰＵ（１１３）は所有者がポップアップ表示された内容を理解した事を意味する例えばＯＫキーを操作部（１２３）からの入力を検出（２０７）するとポップアップ表示を解除（２０９）する。
【００２９】
次に図３を用いて、本発明のさらなる他の実施の形態について説明する。携帯電話機（１００）が電源ＯＮ状態だった時、又は電源ＯＦＦ状態だった時に安全動作モードに遷移した場合について説明する。
【００３０】
携帯電話機（１００）が、電源ＯＮ、電源ＯＦＦ状態であった場合のそれぞれについて、ＣＰＵ（１１３）が安全動作モードへの遷移（３０３）を通して安全動作モードから解除（３０４）すると、電源ＯＮ状態であった場合は、電源ＯＮ（３０５）で復帰させ、表示部（１１９）へポップアップ表示（３０８）を行う。
【００３１】
又、電源ＯＦＦ状態であった場合は、当初の電源ＯＦＦ（３０６）状態で復帰させる。
【００３２】
その後、所有者の操作により電源ＯＮ（３０7）させた時に、表示部へポップアップ表示（３０８）を行う。
【００３３】
なお、温度監視部（１２１）及び、遮断回路（１２０）を複数設け、通電を停止する回路を細分化しても良い。
【００３４】
また、安全動作モードへ遷移した際、所有者へ通知する手段として、音声通知、表示部のバックライト点滅、表示部へのポップアップ表示にて通知しても良い。この時、通知に使用する回路ブロックの電源は通電停止の必要な無い場合で、かつ通電停止されていないものとする。
【００３５】
また、安全動作モードが解除された際、所有者へ安全動作モードへ遷移した旨を通知する手段として、音声通知、表示部のバックライト点滅、ＶＩＢ振動等で通知しても良い。
【００３６】
本発明では、どこでも自由に携行可能な電子機器について、例えば故障では無い携帯電話装置が、周囲温度の上昇から監視エリアの温度が、所定の温度を超えた場合、安全動作モードへ遷移し、操作部のバックライトを点滅させ安全動作モードへ遷移した旨を所有者へ通知する。又、周囲温度の低下を検出した後は、例えば通電を停止したＬＳＩ等に対して必要な初期設定を行い、通常動作を再開させる。
【００３７】
この時、安全動作モードへ移行した際に操作部のバックライトを点滅させ、所有者にその旨を通知する方法では、所有者が理解できない場合や気がつかない場合も考えられる為、正常に復帰した後に、表示部へ安全動作モードへ遷移していた旨のポップアップ表示等を行い、所有者へ通知する。
【００３８】
なお、上述する各実施の形態は、本発明の好適な実施の形態であり、本発明の要旨を逸脱しない範囲内において種々変更実施が可能である。例えば、携帯電話装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００３９】
【図１】本発明の実施の形態に係る装置構成を示す図である。
【図２】本発明の実施の形態に係る処理動作を示すフローチャートである。
【図３】本発明の実施の形態に係る処理動作を示すフローチャートである。
【符号の説明】
【００４０】
１００    携帯電話機
１１０    アンテナ
１１１    無線部
１１２    制御部
１１３    ＣＰＵ
１１４    音響処理部
１１５    スピーカ
１１６    送話部
１１７    受話部
１１８    ＶＩＢ
１１９    表示部
１２０    遮断回路
１２１    温度監視部
１２２    記憶部
１２３    操作部
１２４    ＢＡＴＴ
１２５    電源制御部
【図１】
2009141503.tif 000003
【図２】
2009141503.tif 000004
【図３】
2009141503.tif 000005